【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
ピクチャがスライスを含んでいる場合に、前記スライスにおける符号化データを格納する所定のユニットを単位として、前記ピクチャの符号化データを含むファイルを生成する生成工程を有し、
前記スライスが複数のタイルを含んでいる場合、前記生成工程において、各タイルが属するスライスがピクチャ内の何番目のスライスかを示す情報を含む前記ファイルを生成する
ことを特徴とするファイル生成方法。
【請求項２】
各タイルが属するスライスがピクチャ内の何番目のスライスかを示す情報は、スライスインデックスＢｏｘである
ことを特徴とする請求項１記載のファイル生成方法。
【請求項３】
前記２つ以上のタイルから構成されるタイルセットは当該タイルセット外のタイルの復号画素を参照することなく復号が可能な独立復号タイルセットであり、
前記生成工程において、各独立復号タイルセットがピクチャ内の何番目のスライスから構成されるかを示す情報を含む前記ファイルを生成する
ことを特徴とする請求項１又は２に記載のファイル生成方法。
【請求項４】
ピクチャがスライスを含んでいる場合に、前記スライスにおける符号化データを格納する所定のユニットを単位として、前記ピクチャの符号化データを含むファイルを生成する生成工程を有し、
前記スライスが複数のタイルを含んでいる場合、前記生成工程において、各スライス内の先頭のタイルがピクチャ内の何番目のタイルかを示す情報を含む前記ファイルを生成する
ことを特徴とするファイル生成方法。
【請求項５】
各スライス内の先頭のタイルがピクチャ内の何番目のタイルかを示す情報は、タイルデックスＢｏｘである
ことを特徴とする請求項４記載のファイル生成方法。
【請求項６】
ピクチャがスライスを含んでいる場合に、前記スライスにおける符号化データを格納する所定のユニットを単位として、前記ピクチャの符号化データを含むファイルを生成する生成工程を有し、
前記スライスが複数のタイルを含んでいる場合、前記生成工程において、ピクチャの符号化データの先頭から各タイルの符号化データへのオフセットをバイト数で示す情報を含む前記ファイルを生成する
ことを特徴とするファイル生成方法。
【請求項７】
ピクチャの符号化データの先頭から各タイルの符号化データへのオフセットをバイト数で示す情報は、タイルオフセットＢｏｘである
ことを特徴とする請求項６記載のファイル生成方法。
【請求項８】
ピクチャがスライスを含んでいる場合に、前記スライスにおける符号化データを格納する所定のユニットを単位として、前記ピクチャの符号化データを含むファイルを生成する生成工程を有し、
前記スライスが複数のタイルを含んでおり、１つ以上の前記タイルが注目領域として符号化されている場合に、前記生成工程において、前記ファイルは各注目領域における識別子又は優先度及び注目領域がピクチャ内の何番目のタイルから構成されるかを示す情報を含む前記ファイルを生成する
ことを特徴とするファイル生成方法。
【請求項９】
前記ファイルは各注目領域における識別子又は優先度及び注目領域がピクチャ内の何番目のタイルから構成されるかを示す情報は、ＲＯＩタイルインデックスＢｏｘである
ことを特徴とする請求項８記載のファイル生成方法。
【請求項１０】
前記ファイルは、優先度を備えた注目領域であることを示す注目領域タイルセットＢｏｘを含む
ことを特徴とする請求項１〜９のいずれか１項に記載のファイル生成方法。
【請求項１１】
前記ファイルは、前記各独立復号タイルセットにおいて有効な情報が含まれている期間を示すＲＯＩ有効サンプルＢｏｘを含む
ことを特徴とする請求項１〜１０のいずれか１項に記載のファイル生成方法。
【請求項１２】
ピクチャがスライスを含んでいる場合に、前記スライスにおける符号化データを格納する所定のユニットを単位として、前記ピクチャの符号化データを含むファイルを生成する生成工程を有し、
前記タイルが複数のスライスを含んでいる場合、前記生成工程において、前記タイルが包含する前記スライスがピクチャ内の何番目のスライスかを示す情報を含む前記ファイルを生成する
ことを特徴とするファイル生成方法。
【請求項１３】
前記タイルが包含する前記スライスがピクチャ内の何番目のスライスかを示す情報は、タイル内スライスインデックスＢｏｘである
ことを特徴とする請求項１２記載のファイル生成方法。
【請求項１４】
前記所定のユニットはＮＡＬユニットである
ことを特徴とする請求項１〜１３のいずれか１項に記載のファイル生成方法。
【請求項１５】
ピクチャがスライスを含んでいる場合に、前記スライスにおける符号化データを格納する所定のユニットを単位として、前記ピクチャの符号化データを含むファイルを生成する生成手段を有し、
前記スライスが複数のタイルを含んでいる場合、前記生成手段は、各タイルが属するスライスがピクチャ内の何番目のスライスかを示す情報を含む前記ファイルを生成する
ことを特徴とするファイル生成装置。
【請求項１６】
ピクチャがスライスを含んでいる場合に、前記スライスにおける符号化データを格納する所定のユニットを単位として、前記ピクチャの符号化データを含むファイルを生成する生成手段を有し、
前記スライスが複数のタイルを含んでいる場合、前記生成手段は、各スライス内の先頭のタイルがピクチャ内の何番目のタイルかを示す情報を含む前記ファイルを生成する
ことを特徴とするファイル生成装置。
【請求項１７】
ピクチャがスライスを含んでいる場合に、前記スライスにおける符号化データを格納する所定のユニットを単位として、前記ピクチャの符号化データを含むファイルを生成する生成手段を有し、
前記スライスが複数のタイルを含んでいる場合、前記生成手段は、ピクチャの符号化データの先頭から各タイルの符号化データへのオフセットをバイト数で示す情報を含む前記ファイルを生成する
ことを特徴とするファイル生成装置。
【請求項１８】
ピクチャがスライスを含んでいる場合に、前記スライスにおける符号化データを格納する所定のユニットを単位として、前記ピクチャの符号化データを含むファイルを生成する生成手段を有し、
前記スライスが複数のタイルを含んでおり、１つ以上の前記タイルが注目領域として符号化されている場合に、前記生成手段は、前記ファイルは各注目領域における識別子又は優先度及び注目領域がピクチャ内の何番目のタイルから構成されるかを示す情報を含む前記ファイルを生成する
ことを特徴とするファイル生成装置。
【請求項１９】
ピクチャがスライスを含んでいる場合に、前記スライスにおける符号化データを格納する所定のユニットを単位として、前記ピクチャの符号化データを含むファイルを生成する生成手段を有し、
前記タイルが複数のスライスを含んでいる場合、前記生成手段は、前記タイルが包含する前記スライスがピクチャ内の何番目のスライスかを示す情報を含む前記ファイルを生成する
ことを特徴とするファイル生成装置。
【請求項２０】
請求項１〜１４のいずれか１項に記載のファイル生成方法における生成工程を、コンピュータに実行させることを特徴とするプログラム。
【手続補正２】
【補正対象書類名】明細書
【補正対象項目名】発明の名称
【補正方法】変更
【補正の内容】
【発明の名称】ファイル生成方法、ファイル生成装置、及びプログラム
【手続補正３】
【補正対象書類名】明細書
【補正対象項目名】００１７
【補正方法】変更
【補正の内容】
【００１７】
上述の問題点を解決するため、本願発明のファイル生成方法は以下の構成を有する。すなわち、ピクチャがスライスを含んでいる場合に、前記スライスにおける符号化データを格納する所定のユニットを単位として、前記ピクチャの符号化データを含むファイルを生成する生成工程を有し、前記スライスが複数のタイルを含んでいる場合、前記生成工程において、各タイルが属するスライスがピクチャ内の何番目のスライスかを示す情報を含む前記ファイルを生成する。
また、上述の問題点を解決するため、本願発明のファイル生成方法は以下の構成を有する。すなわち、ピクチャがスライスを含んでいる場合に、前記スライスにおける符号化データを格納する所定のユニットを単位として、前記ピクチャの符号化データを含むファイルを生成する生成工程を有し、前記スライスが複数のタイルを含んでいる場合、前記生成工程において、各スライス内の先頭のタイルがピクチャ内の何番目のタイルかを示す情報を含む前記ファイルを生成する。
また、上述の問題点を解決するため、本願発明のファイル生成方法は以下の構成を有する。すなわち、ピクチャがスライスを含んでいる場合に、前記スライスにおける符号化データを格納する所定のユニットを単位として、前記ピクチャの符号化データを含むファイルを生成する生成工程を有し、前記スライスが複数のタイルを含んでいる場合、前記生成工程において、ピクチャの符号化データの先頭から各タイルの符号化データへのオフセットをバイト数で示す情報を含む前記ファイルを生成する。
また、上述の問題点を解決するため、本願発明のファイル生成方法は以下の構成を有する。すなわち、ピクチャがスライスを含んでいる場合に、前記スライスにおける符号化データを格納する所定のユニットを単位として、前記ピクチャの符号化データを含むファイルを生成する生成工程を有し、前記スライスが複数のタイルを含んでおり、１つ以上の前記タイルが注目領域として符号化されている場合に、前記生成工程において、前記ファイルは各注目領域における識別子又は優先度及び注目領域がピクチャ内の何番目のタイルから構成されるかを示す情報を含む前記ファイルを生成する。
また、上述の問題点を解決するため、本願発明のファイル生成方法は以下の構成を有する。すなわち、ピクチャがスライスを含んでいる場合に、前記スライスにおける符号化データを格納する所定のユニットを単位として、前記ピクチャの符号化データを含むファイルを生成する生成工程を有し、前記タイルが複数のスライスを含んでいる場合、前記生成工程において、前記タイルが包含する前記スライスがピクチャ内の何番目のスライスかを示す情報を含む前記ファイルを生成する。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】